(57)【要約】【課題】  格納先のフォルダに合った原稿の読み取り設定を容易に行う。【解決手段】  原稿の画像を読み取る読取手段と、  前記読取手段によって読み取られた原稿の画像を示す画像データを生成する生成手段と、  前記生成手段によって生成された画像データを格納すべきフォルダを指定する指定手段と、  前記指定手段によって指定されたフォルダに対応する読取設定を取得する取得手段と、  前記取得手段によって取得された読取設定に従って、前記読取手段によって前記原稿の画像を読み取らせる制御手段と、を有することを特徴とする。【選択図】  図９
2016015701.tif 000002
【特許請求の範囲】
【請求項１】
原稿の画像を読み取る読取手段と、
前記読取手段によって読み取られた原稿の画像を示す画像データを生成する生成手段と、
前記生成手段によって生成された画像データを格納すべきフォルダを指定する指定手段と、
前記指定手段によって指定されたフォルダに対応する読取設定を取得する取得手段と、
前記取得手段によって取得された読取設定に従って、前記読取手段によって前記原稿の画像を読み取らせる制御手段と、を有することを特徴とする画像処理装置。
【請求項２】
前記取得手段は、前記指定手段によって指定されたフォルダに対応する読取設定を、前記指定手段によって指定から取得することを特徴とする請求項１に記載の画像処理装置。
【請求項３】
前記取得手段は、前記指定手段によって指定されたフォルダに対応する複数の読取設定を取得し、
前記制御手段は、前記取得手段によって取得された読取設定のうち、ユーザによって選択された読取設定に従って、前記読取手段によって前記原稿の画像を読み取らせることを特徴とする請求項１または２に記載の画像処理装置。
【請求項４】
前記指定手段によって指定されたフォルダに対応するファイルフォーマットを特定する特定手段と、
前記生成手段によって生成された画像データを、前記特定手段によって特定されたファイルフォーマットのファイルに変換する変換手段と、をさらに有することを特徴とする請求項１乃至３のいずれか１項に記載の画像処理装置。
【請求項５】
前記指定手段によって指定されたフォルダに、前記生成手段によって生成された画像データを格納する格納手段をさらに有することを特徴とする請求項１乃至４のいずれか１項に記載の画像処理装置。
【請求項６】
前記指定手段によって指定されたフォルダが、ファイルを格納可能なフォルダか否かを判定する判定手段をさらに有し、
前記判定手段によって前記指定手段によって指定されたフォルダが、ファイルを格納可能ではないと判定された場合に、前記指定手段によって指定されたフォルダにファイルを格納することを禁止する禁止手段をさらに有することを特徴とする請求項１乃至５のいずれか１項に記載の画像処理装置。
【請求項７】
前記取得手段によって前記読取設定が取得できない場合に、前記制御手段は、予め記憶された読取設定に従って、前記読取手段によって前記原稿の画像を読み取らせることを特徴とする請求項１乃至６のいずれか１項に記載の画像処理装置。
【請求項８】
読取手段によって読み取られた原稿の画像を示す画像データを生成する生成工程と、
前記生成工程で生成された画像データを格納すべきフォルダを指定する指定工程と、
前記指定工程で指定されたフォルダに対応する読取設定を取得する取得工程と、
前記取得工程で取得された読取設定に従って、前記読取手段によって前記原稿の画像を読み取らせる制御工程と、を有することを特徴とする画像処理装置の制御方法。
【請求項９】
請求項８に記載された画像処理装置の制御方法を、コンピュータに実行させるためのプログラム。
【発明の詳細な説明】
【技術分野】
【０００１】
本発明は、画像処理装置、画像処理装置の制御方法、及びプログラムに関する。
【背景技術】
【０００２】
従来、指定されたフォルダにファイルを格納する画像処理装置が知られている。
ファイルの格納先となるフォルダを指定する際には、階層別に管理されているフォルダの情報を取得し、フォルダの一覧を表示部に表示することが知られている。（特許文献１参照）ユーザは、表示部に表示されたフォルダの一覧に基づいて任意のフォルダを画像データの格納先として指定する。画像処理装置は、指定されたフォルダに、読み取った原稿の画像データを格納する。
【先行技術文献】
【特許文献】
【０００３】
【特許文献１】特開２００８−０７２２５６号公報
【発明の概要】
【発明が解決しようとする課題】
【０００４】
階層別に管理されるフォルダは、用途別に作られる。例えば、塾で運用されるシステムの場合、ルートフォルダの下に、Ｓｔｕｄｅｎｔというフォルダ名のフォルダや、Ｔｅａｃｈｅｒというフォルダ名のフォルダが管理される。Ｓｔｕｄｅｎｔというフォルダ名のフォルダは、生徒フォルダを管理するために用意される。Ｔｅａｃｈｅｒというフォルダ名のフォルダは、講師フォルダを管理するために用意される。
【０００５】
また、例えば、Ｓｔｕｄｅｎｔというフォルダ名のフォルダの下に、複数人の生徒のそれぞれの名前がフォルダ名として付けられたフォルダが管理される。これらのフォルダは、文書を生徒ごとにまとめて管理するために用意される。
【０００６】
さらに、例えば、生徒の名前がフォルダ名として付けられたフォルダの下に契約書を格納するためのフォルダやテストを格納するためのフォルダが管理される。
【０００７】
これらのフォルダを用意すれば、塾で扱う書類を、生徒や書類の種類ごとにファイルとして分類して管理することができる。
【０００８】
それらのフォルダに格納する書類の種類が異なる場合には、その書類を原稿として読み取らせる際に、書類の種類に適した適切な読取設定を行うことが望ましい。例えば、契約書のように複写用紙を用いた原稿であれば通常よりも濃度を濃くして読み取る必要があるし、面談資料のように写真や画像を用いた原稿であればカラーで読み取ることが望ましい。
【０００９】
しかしながら、従来は、格納先のフォルダに関係なく、ユーザは、原稿の読取設定を行う必要があった。
【００１０】
本発明は上記の課題に鑑みなされたものであり、格納先のフォルダに合った原稿の読み取り設定を容易に行う仕組みを提供することを目的とする。
【課題を解決するための手段】
【００１１】
原稿の画像を読み取る読取手段と、前記読取手段によって読み取られた原稿の画像を示す画像データを生成する生成手段と、前記生成手段によって生成された画像データを格納すべきフォルダを指定する指定手段と、前記指定手段によって指定されたフォルダに対応する読取設定を取得する取得手段と、前記取得手段によって取得された読取設定に従って、前記読取手段によって前記原稿の画像を読み取らせる制御手段と、を有することを特徴とする。
【発明の効果】
【００１２】
本発明によれば、格納先のフォルダに合った原稿の読み取り設定を容易に行うことができる。
【図面の簡単な説明】
【００１３】
【図１】本発明の実施形態における情報処理システムの全体図である。
【図２】本発明の実施形態におけるＭＦＰの構成を示すブロック図である。
【図３】本発明の実施形態におけるファイルサーバの構成を示すブロック図である。
【図４】本実施形態に係る制御例を説明するためのフローチャートである。
【図５】本実施形態に係る画面を説明するための図である。
【図６】本実施形態に係る画面を説明するための図である。
【図７】本実施形態に係る画面を説明するための図である。
【図８】本実施形態に係る制御例を説明するためのフローチャートである。
【図９】本実施形態に係る画面を説明するための図である。
【図１０】本実施形態に係る設定ファイルを説明するための図である。
【図１１】本実施形態に係る画面を説明するための図である。
【図１２】本実施形態に係る制御例を説明するためのフローチャートである。
【図１３】本実施形態に係る設定ファイルを説明するための図である。
【図１４】本実施形態に係る画面を説明するための図である。
【発明を実施するための形態】
【００１４】
以下、図面を参照して本発明の実施の形態を詳しく説明する。なお、以下の実施の形態は特許請求の範囲に係る発明を限定するものでなく、また実施の形態で説明されている特徴の組み合わせの全てが発明の解決手段に必須のものとは限らない。
【００１５】
＜第１の実施形態＞
まず、本発明の第１の実施形態について説明する。
【００１６】
図１は、画像処理システムの全体図である。ネットワーク（ＬＡＮ：Ｌｏｃａｌ  Ａｒｅａ  Ｎｅｔｗｏｒｋ）１００上には、ＭＦＰ（Ｍｕｌｔｉｆｕｎｃｔｉｏｎ  Ｐｅｒｉｐｈｅｒａｌ）１０１及びファイルサーバ１０２が互いに通信可能に接続されている。ＭＦＰ１０１は、画像処理装置の一例である。ここでは画像処理装置の一例としてＭＦＰを用いて説明するが、ファイルにファイル名を付与する機能を備えたものであれば、ＰＣやモバイル端末などＭＦＰでなくても構わない。
【００１７】
ファイルサーバ１０２は、外部装置の一例である。ここではＭＦＰ１０１及びファイルサーバ１０２を含む全体を画像処理システムとするが、ＭＦＰ１０１のみを画像処理システムと称することもできる。ＭＦＰ１０１は、公衆回線網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）１１０にも接続され、図示しないファクシミリ装置との間で画像データをファクシミリ通信することができる。
【００１８】
図２は、ＭＦＰ１０１のハードウェア構成図である。
ＣＰＵ２１１を含む制御部２１０は、ＭＦＰ１０１全体の動作を制御する。
ＣＰＵ２１１は、ＲＯＭ２１２に記憶された制御プログラムを読み出して、読取、印刷、通信などの各種制御を行う。
【００１９】
ＲＡＭ２１３は、ＣＰＵ２１１の主メモリ、ワークエリア等の一時記憶領域として用いられる。なお、ＭＦＰ１０１は１つのＣＰＵ２１１が１つのメモリ（ＲＡＭ２１３またはＨＤＤ２１４）を用いて後述するフローチャートに示す各処理を実行するものとするが、他の態様であっても構わない。例えば、複数のＣＰＵや複数のＲＡＭまたはＨＤＤを協働させてフローチャートに示す各処理を実行するようにすることもできる。
【００２０】
ＨＤＤ２１４は、画像データや各種プログラムを記憶する。操作部Ｉ／Ｆ２１５は、操作部２２０と制御部２１０を接続する。操作部２２０には、タッチパネル機能を有する液晶表示部やキーボードなどが備えられており、ユーザによる操作、入力、指示を受け付ける受付部のとしての役割を担う。
【００２１】
プリンタＩ／Ｆ２１６は、プリンタ２２１と制御部２１０を接続する。プリンタ２２１で印刷すべき画像データはプリンタＩ／Ｆ２１６を介して制御部２１０から転送され、プリンタ２２１により記録媒体上に印刷される。
【００２２】
スキャナＩ／Ｆ２１７は、スキャナ２２２と制御部２１０を接続する。スキャナ２２２は、原稿上の画像を読み取って画像データを生成し、スキャナＩ／Ｆ２１７を介して制御部２１０に入力する。ＭＦＰ１０１は、スキャナ２２２で生成された画像データをファイル化した後、ＷｅｂＤＡＶ（Ｗｅｂ−ｂａｓｅｄ  Ｄｉｓｔｒｉｂｕｔｅｄ  Ａｕｔｈｏｒｉｎｇ  ａｎｄ  Ｖｅｒｓｉｏｎｉｎｇ）プロトコルでファイルサーバ１０２に送信することができる。なお、ファイル化とは画像データを含むファイルを生成することであり、ファイルフォーマットはＰＤＦやＴＩＦＦ等、何であっても構わない。また、以下ではファイル化された画像データを画像ファイルと呼ぶ。ＷｅｂＤＡＶに代えて、ＦＴＰ（Ｆｉｌｅ  Ｔｒａｎｓｆｅｒ  Ｐｒｏｔｏｃｏｌ）やＳＭＢ（Ｓｅｒｖｅｒ  Ｍｅｓｓａｇｅ  Ｂｌｏｃｋ）を用いるようにしても構わない。
【００２３】
モデムＩ／Ｆ２１８は、モデム２２３と制御部２１０を接続する。モデム２２３は、図示しないファクシミリ装置との間における画像データのファクシミリ通信を実行する。ネットワークＩ／Ｆ２１９は、制御部２１０（ＭＦＰ１０１）をＬＡＮ１００に接続する。ＭＦＰ１０１は、ネットワークＩ／Ｆ２１９を用いてＬＡＮ１００上の外部装置（ファイルサーバ１０２など）に画像ファイルや情報を送信したり、各種情報を受信したりする。
【００２４】
図３は、ファイルサーバ１０２のハードウェア構成図である。ＣＰＵ３１１を含む制御部３１０は、ファイルサーバ１０２全体の動作を制御する。ＣＰＵ３１１は、ＲＯＭ３１２に記憶された制御プログラムを読み出して各種制御処理を実行する。ＲＡＭ３１３は、ＣＰＵ３１１の主メモリ、ワークエリア等の一時記憶領域として用いられる。ＨＤＤ３１４は、画像データや各種プログラムを記憶する。また、ＨＤＤ３１４には階層別に管理された複数のフォルダが作成されており、ＭＦＰ１０１から送信された画像ファイルをフォルダに格納することができる。フォルダに格納された画像ファイルは、ＬＡＮ１００上のＰＣ（不図示）から閲覧したり操作したりすることができる。
【００２５】
ネットワークＩ／Ｆ３１５は、制御部３１０（ファイルサーバ１０２）をＬＡＮ１００に接続する。ファイルサーバ１０２は、ネットワークＩ／Ｆ３１５を用いてＬＡＮ１００上の他の装置との間で各種情報を送受信する。
【００２６】
次に、画像処理システムの動作（画像処理システムを用いて提供されるサービス）について、塾支援システムを例に説明する。塾支援システムとは、紙に印刷された書類が大量に取り扱われている塾の業務を効率化するためのシステムであって、特に上述した書類をスキャナで読み取ってファイルサーバにアップロードする作業を容易に行えるようにするものである。塾支援システムは、ＭＦＰ１０１側にインストールされた「塾ファイリング」という名称のアプリケーションと、複数のフォルダを階層別に管理するファイルサーバ１０２側のファイルシステムを用いて実現される。
【００２７】
図４は、ＭＦＰ１０１が起動してから「塾ファイリング」のアプリケーショントップ画面６１０を表示するまでの動作を説明するフローチャートである。図４のフローチャートに示す各動作（ステップ）は、ＭＦＰ１０１のＣＰＵ２１１がＨＤＤ２１４に記憶された制御プログラムを実行することにより実現される。
【００２８】
Ｓ４０１で、ＣＰＵ２１１は、図５（ａ）に示すメニュー画面５１０を操作部２２０に表示する。メニュー画面５１０には、ＭＦＰ１０１に備えられた機能やアプリケーションが一覧表示される。図５（ａ）に示された［コピー］キー５１１や［スキャンして送信］キー５１２は、ＭＦＰ１０１に標準的に備えられた機能（ネイティブ機能）に対応する操作キーである。一方、［塾ファイリング］キー５１３は、ＭＦＰ１０１に追加インストールされたＪａｖａ（登録商標）ベースのアプリケーションに対応する操作キーである。ＭＦＰ１０１には、図示しない他のネイティブ機能や他のアプリケーションが備えられていても良い。
【００２９】
Ｓ４０２で、ＣＰＵ２１１は、［塾ファイリング］キー５１３が押下されたか否かを判定する。［塾ファイリング］キー５１３が押下された場合はステップＳ４０３に進み、押下されない場合は押下されるまで待機する。なお、［コピー］キー５１１や［スキャンして送信］キー５１２が押下された場合にはそれらに対応する機能が実行される。
【００３０】
Ｓ４０３で、ＣＰＵ２１１は、ＨＤＤ２１４に保存されたファイルサーバ設定を取得する。ファイルサーバ設定は、ファイルサーバ１０２に関する情報が含まれるＣＳＶまたはＸＭＬフォーマットのファイルである。ファイルサーバ設定には、ファイルサーバ１０２のホスト名及びフォルダパスの起点となるルートフォルダの情報が含まれる。また、ファイルサーバ設定には、ファイルサーバ１０２にログインするための認証情報（ＩＤ、パスワード）が含まれる。ファイルサーバ設定に含まれる各情報は、ＭＦＰ１０１の管理者またはユーザが、図示しないＰＣに表示されるファイルサーバ設定画面を介して予め入力しておく必要がある。
【００３１】
Ｓ４０４で、ＣＰＵ２１１は、Ｓ４０３で取得したファイルサーバ設定に基づいてファイルサーバ１０２に認証を要求する。この認証に成功すれば、ＭＦＰ１０１はファイルサーバ１０２へのアクセスが可能となる。
【００３２】
Ｓ４０５で、ＣＰＵ２１１は、ファイルサーバ１０２での認証が成功してログインできたかを判定する。認証が成功した場合はＳ４０９に進み、認証が失敗した場合はＳ４０６に進む。
【００３３】
Ｓ４０６で、ＣＰＵ２１１は、図５（ｂ）に示す認証画面５２０を操作部２２０に表示させる。ファイルサーバ１０２での認証が失敗した場合は、ファイルサーバ設定に含まれる認証情報に誤りがある可能性が考えられるため、認証画面５２０を介して認証情報をユーザに入力させる。ステップＳ４０７では、［ログイン］キー５２３が押下されたか否かを判定する。［ログイン］キー５２３が押下された場合はＳ４０８に進み、押下されない場合は押下されるまで待機する。
【００３４】
Ｓ４０８で、ＣＰＵ２１１は、ユーザによって入力された認証情報をＨＤＤ２１４に保存し、Ｓ４０３に戻る。Ｓ４０８の処理を行うことにより、次回以降のログイン時に認証情報をユーザが入力する必要がなくなるが、Ｓ４０８及びＳ４０３の処理を省略してＳ４０４に進むようにしても構わない。或いは、Ｓ４０８及びＳ４０３の処理を省略してＳ４０４に進んだ後、Ｓ４０５で認証が成功したと判定した上で認証情報を保存するようにしても良い。
【００３５】
Ｓ４０９で、ＣＰＵ２１１は、図６（ａ）に示すアプリケーショントップ画面６１０を操作部２２０に表示する。アプリケーショントップ画面６１０には、［Ｓｔｕｄｅｎｔ］キー６１１と［Ｔｅａｃｈｅｒ］キー６１２と［Ｏｔｈｅｒ］キー６１３が表示される。塾支援システムでは、ルートフォルダの直下に［Ｓｔｕｄｅｎｔ］という名称のフォルダと［Ｔｅａｃｈｅｒ］という名称のフォルダと［Ｏｔｈｅｒ］という名称のフォルダが作成されている。アプリケーショントップ画面６１０を表示する際には、ＭＦＰ１０１が、ルートフォルダの直下に置かれているフォルダの情報をファイルサーバ１０２から取得する。そして、ＭＦＰ１０１が、この情報に基づいて［Ｓｔｕｄｅｎｔ］キー６１１と［Ｔｅａｃｈｅｒ］キー６１２と［Ｏｔｈｅｒ］キー６１３を表示する。
【００３６】
塾に在籍する各生徒に関連する書類をファイルサーバ１０２にアップロードする際には［Ｓｔｕｄｅｎｔ］キー６１１が押下され、各講師に関連する書類をファイルサーバ１０２にアップロードする際には［Ｔｅａｃｈｅｒ］キー６１２が押下される。また、その他の書類をファイルサーバ１０２にアップロードする際には［Ｏｔｈｅｒ］キー６１３が押下される。
【００３７】
［Ｓｔｕｄｅｎｔ］キー６１１が押下されると、図６（ｂ）に示す生徒一覧画面６２０が操作部２２０に表示される。領域６２１には、塾支援システムに登録されている生徒の名前の一覧が表示される。［Ｓｔｕｄｅｎｔ］フォルダの直下には、生徒の名前がフォルダ名として設定されたサブフォルダが生徒の人数分作成されている。生徒一覧画面６２０を表示する際には、ＭＦＰ１０１が、［Ｓｔｕｄｅｎｔ］フォルダの直下に置かれているフォルダの情報をファイルサーバ１０２から取得し、この情報に基づいて領域６２１を表示する。各生徒のフォルダは、図示しないＰＣからの操作によって新たに作成したり、削除したりすることができる。また、各生徒のフォルダはＭＦＰ１０１によってアルファベット順に並べ替えて表示される。
【００３８】
スクロールキー６２２は、領域６２１に表示されていない生徒の名前を領域６２１に表示させる（画面をスクロールする）ための操作キーである。インデックスキー６２３は、生徒の名前の先頭の文字を指定して該当する生徒の名前を領域６２１に表示させるための操作キーである。［上へ］キー６２４は、一つ上位にあたる階層のフォルダを表示させるための操作キーであり、［上へ］キー６２４を押下するとアプリケーショントップ画面６１０が表示される。［スキャン設定］キー６２５は、後述するスキャン設定画面を表示させるための操作キーである。［スキャン設定］キー６２５を用いてスキャン設定画面を表示した場合は、スキャナ２２２を用いて生成される画像ファイルは［Ｓｔｕｄｅｎｔ］フォルダに格納される。
【００３９】
領域６２１に含まれるいずれかの操作キーが押下されると、図７（ａ）に示す書類種別一覧画面７１０が表示される。図７（ａ）では、［Ａａｒｏｎ  Ｓｍｉｔｈ］という名前の生徒（［Ａａｒｏｎ  Ｓｍｉｔｈ］という名称のフォルダ）が選択された場合を示している。領域９０１には、［Ｓｔｕｄｅｎｔ］フォルダの下の［Ａａｒｏｎ  Ｓｍｉｔｈ］フォルダに格納されているフォルダが領域９０２に表示されていることが示されている。
【００４０】
領域９０２には、塾支援システムに登録されている書類種別の一覧が表示される。［Ａａｒｏｎ  Ｓｍｉｔｈ］フォルダの直下には、書類種別の名称がフォルダ名として設定されたサブフォルダが作成されている。図７（ａ）の例では、領域９０２に［契約書］と［報告書］、「テスト問題＿学校］などのサブフォルダが格納されている。これらのフォルダは、他の生徒のフォルダの直下にも同様に作成されている。
【００４１】
フォルダ一覧画面９００を表示する際には、ＭＦＰ１０１が、選択された［Ａａｒｏｎ  Ｓｍｉｔｈ］フォルダの直下に置かれているフォルダの情報をファイルサーバ１０２から取得し、この情報に基づいて領域９０２を表示する。各種別のフォルダは、図示しないＰＣからの操作によって新たに作成したり、削除したりすることができる。
【００４２】
スクロールキー９０３、９０４は、領域９０２に表示されていない書類種別を領域９０２に表示させる（画面をスクロールする）ための操作キーである。［上へ］キー９０５は、一つ上位にあたる階層のフォルダを表示させるための操作キーであり、［上へ］キー９０５を押下すると生徒一覧画面６２０が表示される。［読み込み設定］キー９０６は、後述するスキャン設定画面を表示させるための操作キーである。［読み込み設定］キー９０６を用いてスキャン設定画面を表示し、スキャン設定を受け付けて読み取り指示を受け付けた場合、スキャナ２２２を用いて生成される画像ファイルは［Ａａｒｏｎ  Ｓｍｉｔｈ］フォルダに格納される。
【００４３】
図６（ａ）のアプリケーショントップ画面で［Ｏｔｈｅｒ］キー６１３が押下されると、図７（ｂ）に示す書類種別一覧画面７２０が表示される。領域７２１には、塾支援システムに登録されている書類種別の一覧が表示される。［Ｏｔｈｅｒ］フォルダの直下には、書類種別の名称がフォルダ名として設定されたサブフォルダが作成されている。書類種別一覧画面７２０を表示する際には、ＭＦＰ１０１が、［Ｏｔｈｅｒ］フォルダの直下に置かれているフォルダの情報をファイルサーバ１０２から取得し、この情報に基づいて領域７２１を表示する。各種別のフォルダは、図示しないＰＣからの操作によって新たに作成したり、削除したりすることができる。
【００４４】
スクロールキー７２２は、領域７２１に表示されていない書類種別を領域７２１に表示させる（画面をスクロールする）ための操作キーである。［Ｏｔｈｅｒ］フォルダの直下にはフォルダが２個しかないため図７（ｂ）に示す画面に全て表示されているが、７個以上のフォルダがある場合には表示しきれないため、スクロールキー７２２が使用される。［上へ］キー７２３は、一つ上位にあたる階層のフォルダを表示させるための操作キーであり、［上へ］キー７２３を押下するとアプリケーショントップ画面６１０が表示される。［スキャン設定］キー７２４は、後述するスキャン設定画面を表示させるための操作キーである。［スキャン設定］キー７２４を用いてスキャン設定画面を表示した場合は、スキャナ２２２を用いて生成される画像ファイルは［Ｏｔｈｅｒ］フォルダに格納される。
【００４５】
図８は、アプリケーショントップ画面６１０が表示された後の画面遷移を含むＭＦＰ１０１の動作を説明するフローチャートである。図８のフローチャートに示す各動作（ステップ）は、ＭＦＰ１０１のＣＰＵ２１１がＨＤＤ２１４に記憶された制御プログラムを実行することにより実現される。
【００４６】
Ｓ８０１では、ユーザによってフォルダが選択されたか否かを判定する。［Ｓｔｕｄｅｎｔ］キー６１１、［Ｔｅａｃｈｅｒ］キー６１２、［Ｏｔｈｅｒ］キー６１３、領域６２１及び領域７１１及び領域７２１に含まれる各操作キーのいずれかが押下された場合に、ユーザによってフォルダが選択されたと判定する。そして、Ｓ８０２に進む。
【００４７】
Ｓ８０２では、Ｓ８０１で選択されたフォルダがサブフォルダを有するフォルダであるか否かを判定する。この判定は、サブフォルダの有無をファイルサーバ１０２に問い合わせることによって行われる。ここでは、［Ｓｔｕｄｅｎｔ］キー６１１、［Ｔｅａｃｈｅｒ］キー６１２、［Ｏｔｈｅｒ］キー６１３、領域６２１に含まれる各操作キーのいずれかが押下された場合には、選択されたフォルダがサブフォルダを有するフォルダであると判定する。そして、Ｓ８０３に進む。一方、領域９０２に含まれる各操作キー、領域７２１に含まれる各操作キーのいずれかが押下された場合には、選択されたフォルダがサブフォルダを有するフォルダでないと判定し、Ｓ８０７に進む。なお、選択されたフォルダの直下にファイルが置かれている場合であっても、フォルダが存在しない限りはサブフォルダを有さないものとする。
【００４８】
Ｓ８０３では、Ｓ８０１で選択されたフォルダの直下に置かれているフォルダ（Ｓ８０１で選択されたフォルダの一つ下位の階層のフォルダ）の一覧を表示する。具体的には、図６（ａ）から図６（ｂ）または図７（ｂ）への画面遷移、または、図６（ｂ）から図７（ａ）への画面遷移に該当する。
【００４９】
Ｓ８０４では、上位階層への画面遷移が指示されたか否かを判定する。ここでは、［上へ］キー６２４、７１３、７２３のいずれかが押下された場合には、上位階層への画面遷移が指示されたと判定し、Ｓ８０５に進む。Ｓ８０５では、現在表示している階層の一つ上位の階層のフォルダの一覧を表示する。具体的には、図６（ｂ）または図７（ｂ）から図６（ａ）への画面遷移、または、図７（ａ）から図６（ｂ）への画面遷移に該当する。
【００５０】
Ｓ８０６では、スキャン設定画面の表示が指示されたか否かを判定する。ここでは、［読み込み設定］キー６２５、９０６、７２４のいずれかが押下された場合には、スキャン設定画面の表示が指示されたと判定し、ステップＳ８０７に進む。
【００５１】
Ｓ８０７では、［読み込み設定］キーが押されたときに表示されていた画面に対応するフォルダに記憶されている設定ファイルを取得する。また、選択されたフォルダが最下位層のフォルダである場合（Ｓ８０２のＮｏに進んだ場合）、ＣＰＵ２１１は、最下位層のフォルダから設定ファイルを取得する。具体的に、図６（ｂ）に示す画面の［読み込み設定］キー６２５が押された場合、［Ｓｔｕｄｅｎｔ］フォルダに格納されている設定ファイルを取得する。また、図７（ａ）に示す画面の［読み込み設定］キー９０６が押されたら、［Ａａｒｏｎ  Ｓｍｉｔｈ］フォルダに格納されている設定ファイルを取得する。また、図７（ｂ）に示す画面の［読み込み設定］キー７２４が押されたら、［Ｏｈｔｅｒ］フォルダに格納されている設定ファイルを取得する。図１０は設定ファイルの例を示す。また、図７（ａ）の［契約書］フォルダが選択された場合、ＣＰＵ２１１は、［契約書］フォルダから設定ファイルを取得する。
【００５２】
図１０は、各種の読取設定が記録された設定ファイルの例である。冒頭に記載された［ＳｃａｎＰａｒａｍ］はこの行から新たな読取設定に関する記載が始まることを示す。設定ファイルにおいて、１つの［ＳｃａｎＰａｒａｍ］に記録された複数の読取設定を読取設定群として扱う。
ＤＩＳＰＬＡＹ＿ＮＡＭＥは、読取設定の名前を示す。
ＤＩＳＰＬＡＹ＿ＤＥＴＡＩＬは、読取設定の説明文を示す。
ＳＣＡＮ＿ＲＥＳＯＬＵＴＩＯＮは、読取解像度の設定を示す。
ＳＣＡＮ＿ＣＯＬＯＲは、読取をカラーで行うか、モノクロで行うかの設定を示す。
ＳＣＡＮ＿ＤＥＮＳＩＴＹは、読取濃度の設定を示す。
【００５３】
これらの項目はあくまで一例であり、設定ファイルには、これ以外の項目が含まれていてもよいし、各項目には図１０に示す以外の読取パラメータが設定されていてもよい。また、記録されていない項目についてはデフォルトの設定値を用いるようにしてもよい。
【００５４】
このような設定ファイルは、フォルダごとに用意されており、ユーザは、予めフォルダごとに、そのフォルダの用途に合った読取設定パラメータを定義しておくことができる。
【００５５】
Ｓ８０８で、ＣＰＵ２１１は、Ｓ８０７で取得された設定ファイルに記録された読取設定に従って、操作部２２０に図９に示すスキャン設定画面を表示する。ユーザは、スキャン設定画面を介して読取設定や送信するファイルのファイル名の設定を行う。
【００５６】
図９は、［Ｓｔｕｄｅｎｔ］フォルダの下の［Ａａｒｏｎ  Ｓｍｉｔｈ］フォルダの下に用意された［契約書］という名称のフォルダが図７（ａ）の画面で選択された場合に表示された画面である。ここでは、［契約書］の下にフォルダがないため、Ｓ８０２からＳ８０７に処理が進められ、［契約書］フォルダに格納された設定ファイルが取得される。
【００５７】
領域１１０１には、スキャナ２２２を用いて生成される画像ファイルの格納先を示すフォルダパス情報が示される。このフォルダパス情報は、ルートフォルダに対する相対パス（ルートフォルダよりも下位の階層部分）を示す。図９に示す例では、画像ファイルの格納先として［契約書］フォルダが選択されていることが分かる。
【００５８】
［ファイル名］領域１１０２は、現在設定されているファイル名を表示する領域である。
［ファイル名変更］キー１１０３は、画像ファイルのファイル名を設定するための操作キーである。
［ファイル名変更］キー１１０３が押下されると、ファイル名を変更するためのソフトウェアキーボードなどが表示される。
【００５９】
読取設定選択ボタン１１０４は、Ｓ８０７で取得された設定ファイルに記録された読取設定群に基づいて表示されるボタンである。各ボタンの上部に図１０のＤＩＳＰＬＡＹ＿ＮＡＭＥで定義された文字列が、各ボタンの下部に図１０のＤＩＳＰＬＡＹ＿ＤＥＴＡＩＬで定義された文字列がそれぞれ表示される。
【００６０】
各ボタンが選択された場合には、そのボタンに対応した［ＳｃａｎＰａｒａｍ］に記録された読取設定群を選択したものとする。あるボタンが選択された状態で、Ｓ８０９で［アップロード開始］キー１１０７が押されると、ＣＰＵ２１１は、Ｓ８１０に処理を進める。Ｓ８１０で、ＣＰＵ２１１は、選択された読取設定群に従ってスキャナ２２２に原稿の画像を読み取らせる。そして、Ｓ８１１で、ＣＰＵ２１１は、読み取られた原稿の画像を示す画像データをファイルに変換し、ファイルを指定されたフォルダに送信する。一方、図９に示すスキャン設定画面でキャンセルボタン１１０６が押されると、スキャン設定画面で設定した項目を取り消し、一つ前に表示されていた画面に遷移する。
【００６１】
また、本実施形態では３つの［ＳｃａｎＰａｒａｍ］が設定ファイル８００に記録され、全ての［ＳｃａｎＰａｒａｍ］に対応するボタンを表示できる場合を説明した。設定ファイル８００に記録された［ＳｃａｎＰａｒａｍ］の数が多く、全てのボタンを表示しきれない場合、スクロールキーを表示し、スクロールキーが押された場合に、表示しきれないボタンを表示してもよい。また、設定ファイル８００に記録された［ＳｃａｎＰａｒａｍ］の数に応じてボタンの数を変更して表示してもよい。ボタンの数を変更する場合には、ボタンの大きさやレイアウトを変更すればよい。
【００６２】
また、［ＳｃａｎＰａｒａｍ］が設定ファイル８００に定義されていなかった場合には、ＨＤＤ２１４に予め記憶されたデフォルトの読取設定に基づくボタンを表示してもよい。
【００６３】
なお、ユーザは、詳細設定ボタン１１０５を押して、読取設定選択ボタン１１０４で選択されたボタンが定義する読取設定に対して、より詳細な設定を行う詳細設定画面を行うことができる。
【００６４】
図１１は、詳細設定ボタン１１０５が押されたときに操作部２２０に表示される詳細設定画面の例である。
【００６５】
操作キー１２０１は、カラーモードを設定するための操作キーである。ユーザは、プルダウンで示される［カラー］、［グレースケール］、［白黒］の選択肢から所望の読取カラーモードを選択することができる。
【００６６】
操作キー１２０２は、読取解像度を設定するための操作キーである。ユーザは、プルダウンで示される［３００＊３００ｄｐｉ］、［３００×６００ｄｐｉ］、［２００＊２００ｄｐｉ］等の選択肢から所望の解像度を選択することができる。
【００６７】
操作キー１２０３は、片面読取モードか両面読取モードかを設定するための操作キーである。ユーザは、プルダウンで示される［両面読み取り］、［片面読み取り］の選択肢から所望の両面モードを選択することができる。
【００６８】
操作キー１２０４は、原稿混載モードを設定するための操作キーである。ユーザは、プルダウンで示される［原稿混載あり］、［原稿混載なし］の選択肢から所望の原稿混載モードを選択することができる。
【００６９】
操作キー１２０５は、読取濃度を設定するための操作キーである。ユーザは、プルダウンで示される［濃度濃く］、［濃度通常］、［濃度薄く］の選択肢から所望の読取濃度を選択することができる。
【００７０】
操作キー１２０６は、読み取った画像をファイルに変換する際のファイルフォーマットを設定するための操作キーである。ユーザは、「ＴＩＦＦ」、「ＰＤＦ」、「ＰＤＦ＋高圧縮」等の選択肢から所望のファイルフォーマットを選択することができる。
【００７１】
操作キー１２０１乃至１２０６によって設定された読取パラメータはＲＡＭ２１３に格納され、原稿の読み取りを行うときにＣＰＵ２１１によって読み出されて使用される。
【００７２】
［キャンセル］キー１２０７を押下すると、スキャン設定を中止し、格納先を他のフォルダに変更することができる。［ＯＫ］キー１２０８が押下されると、ＣＰＵ２１１は、受け付けた読み取りパラメータを確定し、図９に示す画面を操作部２２０に表示させる。
【００７３】
ここで、図１１の画面を表示する際に、ＣＰＵ２１１は、図９で選択された状態のボタンに対応する読取設定群の設定パラメータを各設定項目に反映させた状態で、図１１に示す詳細設定画面を表示する。なお、原稿混載モードと、ファイルフォーマットについては、設定ファイルの中に設定パラメータが記録されていない。このような設定項目については、デフォルトの設定パラメータとして、それぞれ、「原稿混載なし」、「ＰＤＦ」を表示すればよい。
【００７４】
ここでは、［／Ｓｔｕｄｅｎｔ／Ａａｒｏｎ  Ｓｍｉｔｈ／契約書］から設定ファイルを取得する例を説明した。しかしながら、例えば、［報告書］フォルダを、ファイルの格納先として選択した場合には、［報告書］フォルダに格納された設定ファイルに基づいた読取設定がＳ８０７で取得される。このとき、［報告書］フォルダに格納される設定ファイルには、［契約書］フォルダに格納された設定ファイルに記録された読取設定とは異なる読取設定を記録しておくことで、異なる読取設定群のボタンが表示される。それによって、ユーザは、フォルダごとに異なる読取設定を容易に設定することができる。例えば、［契約書］フォルダには、契約書が複写用紙を用いて作成されることが多いことを備え、複写された薄い文字を濃く読み取るために、通常よりも濃度を濃くして読み取る読取設定を含む設定ファイルを記憶しておけばよい。それによって、ユーザは、ファイルの格納先として［契約書］フォルダを指定したときに、濃度設定［濃い］、読取解像度［３００ｄｐｉ×３００ｄｐｉ］、カラースキャンを容易に設定することができる。一方、［報告書］フォルダには、読み取った内容を詳細に表示できた方が良いため、３００×６００ｄｐｉで読み取る読取設定を含む設定ファイルを記憶しておけばよい。それによって、ユーザは、ファイルの格納先として［報告書］フォルダを指定したときに、濃度設定［濃い］、読取解像度［３００ｄｐｉ×６００ｄｐｉ］、カラースキャンを容易に設定することができる。また、［Ｓｔｕｄｅｎｔ］フォルダには、両面で原稿を読み取る読取設定を含む設定ファイルを記憶したり、［Ｔｅａｃｈｅｒ］フォルダには、片面で原稿を読み取る読取設定を含む設定ファイルを記憶したりすることもできる。このように、ユーザは、フォルダごとに、フォルダに格納される書類に合った読取設定を容易に設定することができる。
【００７５】
本実施形態によれば、フォルダごとに読取設定を記録した設定ファイルを用意し、スキャン設定画面を表示するときに、ファイルの格納先として指定されたフォルダに合った読取設定を容易に設定し、設定された読取設定で原稿の読み取りを行うことができる。
【００７６】
なお、上述した実施形態では、設定ファイルに、ファイルフォーマットが含まれない例を説明したが、設定ファイルには、ファイルフォーマットが記録されていてもよい。例えば、「ＴＩＦＦ」、「ＰＤＦ」、「ＰＤＦ＋高圧縮」の中から設定されていてもよい。ファイルフォーマットが記録されている場合、ＣＰＵ２１１は、読み取った原稿の画像データを、設定ファイルに記録されたファイルフォーマットに従ったファイルに変換する。
【００７７】
また、本実施形態では、フォルダに格納される設定ファイルに含まれる読取設定が複数あり、複数の設定ファイルの中からユーザが１つの設定ファイルを選択する例を説明したが、本発明はこれに限らない。例えば、フォルダに１つの設定ファイルを格納し、そのフォルダをファイルの格納先として指定した場合、そのフォルダの設定ファイルをユーザによる設定ファイルの選択操作なしに使用するよう決定してもよい。または、フォルダに１つの設定ファイルを格納し、そのフォルダをファイルの格納先として指定した場合、そのフォルダの設定ファイルをユーザによる設定ファイルの選択操作に従って使用するよう決定してもよい。
【００７８】
＜第２の実施形態＞
第２の実施形態では、設定ファイルに、表示画面の形態を記録する例を説明する。システムの構成や基本の制御は第１の実施形態と同様であるため、第２の実施形態では、第１の実施形態との差分を説明する。
【００７９】
図１３は、表示画面の形態を記録した設定ファイルの例である。
【００８０】
［Ｔｙｐｅ］には、一覧画面を表示する表示形式が記録されている。ここでは、画面をリスト形式で表示するためのＩｎｄｅｘが記録されている。Ｉｎｄｅｘが記録されていると、フォルダの表示画面は、図１４（ａ）のように表示される。Ｉｎｄｅｘ以外にも、ＬｉｓｔとＢｕｔｔｏｎが存在し、Ｌｉｓｔが記録されていると、フォルダの表示画面は、図１４（ｂ）のように表示される。また、Ｂｕｔｔｏｎが記録されていると、フォルダの表示画面は、図１４（ｃ）のように表示される。
【００８１】
フォルダ一覧画面１５００（ａ）は画面タイプとしてＩｎｄｅｘが指定された場合の画面の表示例である。領域１５０１には、選択されたフォルダに格納されたフォルダの一覧が表示される。図１４に示す例では、［／Ｓｔｕｄｅｎｔ／Ａａｒｏｎ  Ｓｍｉｔｈ］というフォルダに格納されたフォルダの一覧が表示される。振り仮名ボタン１５０２は、領域１５０１に表示された各フォルダの振り仮名を指定するためのボタンである。ここで、例えば「か」のボタンが押下された場合には、領域１５０１には、「か」から始まる振り仮名のフォルダ名をもつフォルダが５０音順に表示される。
【００８２】
フォルダ一覧画面１５００（ｂ）は画面タイプとしてＬｉｓｔが指定された場合の画面の表示例である。領域１５０３は、選択されたフォルダに格納されたフォルダが、リスト形式で縦に並べて表示される。ここでは一度に７つのフォルダを表示する例を説明したが、画面サイズに応じて、一度に表示する列の数は変更してもよい。一度に表示すべき列の数の指定も、設定ファイルに記録しておき、設定ファイルに記録された列の数に従ってフォルダを表示してもよい。
【００８３】
フォルダ一覧画面１５００（ｃ）は画面タイプとしてＢｕｔｔｏｎが指定された場合の画面の表示例である。領域１５０４は、選択されたフォルダに格納されたフォルダが、フォルダ名とそのフォルダの説明が記載されたボタンの形式で表示される。ここでは一度に４つのボタンで表示したが、画面サイズに応じて、一度に表示するボタンの数は変更してもよい。一度に表示すべきボタンの数の指定も、設定ファイルに記録しておき、設定ファイルに記録された列の数に従ってボタンを表示してもよい。各フォルダの説明文については、設定ファイルの中に、フォルダごとのフォルダ名とその説明文を記録しておき、ＣＰＵ２１１が、それを取得して表示すればよい。
【００８４】
［Ｓｃａｎ］は、選択されたフォルダにファイルを格納できるか否かを示している。［Ｓｃａｎ］がＯＮの場合、選択されたフォルダにファイルを格納可能であることを示し、［Ｓｃａｎ］がＯＦＦの場合、選択されたフォルダにファイルを格納できないことを示している。
【００８５】
図１２は、フォルダの一覧画面を表示する際のＭＦＰ１０１の動作を説明するフローチャートである。図１２のフローチャートは、図８のＳ８０３及びＳ８０５で、フォルダの一覧画面を表示する際に行われる。図１３のフローチャートに示す各動作（ステップ）は、ＭＦＰ１０１のＣＰＵ２１１がＨＤＤ２１４に記憶された制御プログラムを実行することにより実現される。
【００８６】
Ｓ１３１０で、ＣＰＵ２１１は、一覧画面に表示されるフォルダと同じ階層に用意された設定ファイルを取得する。
【００８７】
Ｓ１３２０で、ＣＰＵ２１１は、設定ファイルに記録された表示形式を取得する。つまり、図１３の［Ｔｙｐｅ］で記録された表示形式を取得する。
【００８８】
Ｓ１３３０で、ＣＰＵ２１１は、Ｓ１３２０で取得された表示形式がＩｎｄｅｘであるか否かを判定する。Ｓ１３２０で取得された表示形式がＩｎｄｅｘであると判定された場合にＣＰＵ２１１は、Ｓ１３４０に処理を進め、Ｓ１３２０で取得された表示形式がＩｎｄｅｘでないと判定された場合に、Ｓ１３７０に処理を進める。
【００８９】
Ｓ１３４０で、ＣＰＵ２１１は、設定ファイルの［Ｓｃａｎ］に記録された情報に基づいてファイルを格納できるフォルダか否かを判定する。［Ｓｃａｎ］がＯＮであれば、ファイルを格納できると判定し、ＣＰＵ２１１は、Ｓ１３５０に処理を進め、［Ｓｃａｎ］がＯＦＦであれば、ファイルを格納できないと判定し、Ｓ１３６０に処理を進める。
【００９０】
Ｓ１３５０で、ＣＰＵ２１１は、一覧画面に表示すべきフォルダを図１４（ａ）に示すＩｎｄｅｘ形式で並べた画面を操作部２２０に表示させる。ここで、ＣＰＵ２１１は、読み込み設定ボタン１５０６を有効にし、そのフォルダへのファイルの格納を許可する。
【００９１】
Ｓ１３６０で、ＣＰＵ２１１は、一覧画面に表示すべきフォルダを図１４（ａ）に示すＩｎｄｅｘ形式で並べた画面を操作部２２０に表示させる。ここで、ＣＰＵ２１１は、読み込み設定ボタン１５０６を無効にし、そのフォルダへのファイルの格納を禁止する。
【００９２】
一方、Ｓ１３３０からＳ１３７０に処理を進めた場合、ＣＰＵ２１１は、Ｓ１３２０で取得された表示形式がＬｉｓｔであるか否かを判定する。Ｓ１３２０で取得された表示形式がＬｉｓｔであると判定された場合にＣＰＵ２１１は、Ｓ１３８０に処理を進め、Ｓ１３２０で取得された表示形式がＬｉｓｔでないと判定された場合に、Ｓ１４１０に処理を進める。
【００９３】
Ｓ１３８０で、ＣＰＵ２１１は、設定ファイルの［Ｓｃａｎ］に記録された情報に基づいてファイルを格納できるフォルダか否かを判定する。［Ｓｃａｎ］がＯＮであれば、ファイルを格納できると判定し、ＣＰＵ２１１は、Ｓ１３９０に処理を進め、［Ｓｃａｎ］がＯＦＦであれば、ファイルを格納できないと判定し、Ｓ１４００に処理を進める。
【００９４】
Ｓ１３９０で、ＣＰＵ２１１は、一覧画面に表示すべきフォルダを図１４（ｂ）に示すＬｉｓｔ形式で並べた画面を操作部２２０に表示させる。ここで、ＣＰＵ２１１は、読み込み設定ボタン１５０７を有効にし、そのフォルダへのファイルの格納を許可する。
【００９５】
Ｓ１４００で、ＣＰＵ２１１は、一覧画面に表示すべきフォルダを図１４（ｂ）に示すＬｉｓｔ形式で並べた画面を操作部２２０に表示させる。ここで、ＣＰＵ２１１は、読み込み設定ボタン１５０７を無効にし、そのフォルダへのファイルの格納を禁止する。
【００９６】
一方、Ｓ１３７０からＳ１４１０に処理を進めた場合、Ｓ１３２０で取得された表示形式はＢｕｔｔｏｎである。
【００９７】
Ｓ１４１０で、ＣＰＵ２１１は、設定ファイルの［Ｓｃａｎ］に記録された情報に基づいてファイルを格納できるフォルダか否かを判定する。［Ｓｃａｎ］がＯＮであれば、ファイルを格納できると判定し、ＣＰＵ２１１は、Ｓ１４２０に処理を進め、［Ｓｃａｎ］がＯＦＦであれば、ファイルを格納できないと判定し、Ｓ１４３０に処理を進める。
【００９８】
Ｓ１４２０で、ＣＰＵ２１１は、一覧画面に表示すべきフォルダを図１４（ｃ）に示すＢｕｔｔｏｎ形式で並べた画面を操作部２２０に表示させる。ここで、ＣＰＵ２１１は、読み込み設定ボタン１５０８を有効にし、そのフォルダへのファイルの格納を許可する。
【００９９】
Ｓ１４３０で、ＣＰＵ２１１は、一覧画面に表示すべきフォルダを図１４（ｃ）に示すＢｕｔｔｏｎ形式で並べた画面を操作部２２０に表示させる。ここで、ＣＰＵ２１１は、読み込み設定ボタン１５０８を無効にし、そのフォルダへのファイルの格納を禁止する。
【０１００】
本実施形態によれば、フォルダごとに、ユーザが見やすい表示形式のフォルダ一覧を表示することができる。また、ファイルを格納すべきでないフォルダを予め設定ファイルに記録しておくことで、そのフォルダにファイルが格納されることを防ぐことができる。
【０１０１】
なお、第２の実施形態の設定ファイルに、第１の実施形態で説明した読取設定が含まれていてもよい。その場合、読み込み設定ボタンが押された場合に、第１の実施形態で説明した制御に従って図９に示すような画面を表示すればよい。
【０１０２】
なお、第２の実施形態では、３つの表示形式を例として説明したが、それ以外の表示形式を設定ファイルで定義しておいてもよい。また、設定ファイルに記憶される画面の表示形式の設定の仕方も、図１３に示すものに限らず、ＣＰＵ２１１が理解できるものであれば、他の形式を採用してもよい。
【０１０３】
＜その他の実施形態＞
なお、上述した実施形態では、ＭＦＰ１００とファイルサーバ１０２が別体となっている例を説明したが、ＭＦＰ１００の中にファイルサーバ１０２の機能が組み込まれていてもよい。
【０１０４】
以上、本発明の様々な例と実施形態を示して説明したが、当業者であれば、本発明の趣旨と範囲は、本明細書内の特定の説明に限定されるものではない。
【０１０５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０６】
１０１  ＭＦＰ
２１０  制御部
２１１  ＣＰＵ
２１２  ＲＯＭ
２１３  ＲＡＭ
２１４  ＨＤＤ
【図１】
2016015701.tif 000003
【図２】
2016015701.tif 000004
【図３】
2016015701.tif 000005
【図４】
2016015701.tif 000006
【図５】
2016015701.tif 000007
【図６】
2016015701.tif 000008
【図７】
2016015701.tif 000009
【図８】
2016015701.tif 000010
【図９】
2016015701.tif 000011
【図１０】
2016015701.tif 000012
【図１１】
2016015701.tif 000013
【図１２】
2016015701.tif 000014
【図１３】
2016015701.tif 000015
【図１４】
2016015701.tif 000016